(57)【要約】【課題】シール装置及び扉止め装置を一体化してコストの低廉化を図り、取り付けが容易な扉止め装置付きシール装置を提供する。【解決手段】扉止め装置付きシール装置Ａは、扉Ｂの嵌合溝Ｂ２に嵌合する枠体２と、枠体２に設けられた扉止め装置６０からなる。枠体２内の弾性体１３は、一端が枠体２に、他端が作動部材２０に取り付けられている。作動部材２０は、扉Ｂの回動中心側端面Ｂ６から先端３０が突出する。扉Ｂを閉じると、先端３０が扉枠に押圧され、弾性体１３を下方に変形させ、シール取付部１６のシール部材４０が床面に接触する。扉止め装置６０には、床面に回動自在に設けられた金属製ストッパー板１０１を磁力により引き上げる磁石部材７１が設けられている。【選択図】        図１
2005016110.tif 000002
【特許請求の範囲】
【請求項１】
下記の要件を備えたことを特徴とする扉止め装置付きシール装置。
（イ）扉の下部に形成された、扉の幅方向に延びる嵌合溝に嵌合する枠体を有すること。
（ロ）枠体内には帯状の弾性体が設けられ、帯状の弾性体にはシール取付部が設けられていること。
（ハ）帯状の弾性体は、一端が枠体の一側に取り付けられ、他端が作動部材に取り付けられていること。
（ニ）作動部材は、枠体の長手方向に移動自在に設けられ、扉が開いている時、扉の回動中心側端面から先端が突出し、シール取付部に取り付けられたシール部材が床面から離れた状態にあり、扉が閉じている時、先端が扉枠に当接して押圧され、帯状の弾性体を下方に変形させ、シール取付部に取り付けられたシール部材を床面に接触させるようになっていること。
（ホ）枠体の一側には、扉の自由端側端面に取り付けられる扉止め装置が設けられていること。
（へ）扉止め装置には、床面に回動自在に設けられた金属製ストッパー板を磁力により引き上げる磁石部材が設けられていること。
【請求項２】
扉止め装置には、磁石部材の磁力により引き上げられた金属製ストッパー板の係止凹部に係止可能な係止軸と、係止軸を非係止位置から係止位置に移動させる操作手段が設けられていることを特徴とする請求項１記載の扉止め装置付きシール装置。
【請求項３】
扉止め装置には、磁石部材の磁力により引き上げられた金属製ストッパー板が当接する当接壁と、金属製ストッパー板を係止する係止突起が設けられていることを特徴とする請求項１又は２記載の扉止め装置付きシール装置。
【発明の詳細な説明】
【０００１】
【発明の属する技術分野】
本願発明は、扉と床面等の間に発生する隙間を封鎖するシール装置に関するものである。
【０００２】
【従来の技術】
従来のシール装置は、扉の下部に形成された、扉の幅方向に延びる嵌合溝に嵌合する枠体を有し、枠体内には帯状の弾性体が設けられ、帯状の弾性体にはシール取付部が設けられている。帯状の弾性体は、一端が枠体の一側に取り付けられ、他端が作動部材に取り付けられている。作動部材は、枠体の長手方向に移動自在に設けられ、扉が開いている時、扉の回動中心側端面から先端が突出し、シール取付部に取り付けられたシール部材が床面から離れた状態にあり、扉が閉じている時、先端が扉枠に当接して押圧され、帯状の弾性体を下方に変形させ、シール取付部に取り付けられたシール部材を床面に接触させるようになっている（例えば、特許文献１乃至４）
【０００３】
従来の扉止め装置は、扉の下部側面にネジ等によって取り付けられ、床面に回動自在に設けられた金属製ストッパー板を磁力により引き上げる磁石部材が設けられている（例えば、特許文献５）。
【０００４】
【特許文献１】
特開平９−１１２１５４号公報
【特許文献２】
特開平９−２７９９５７号公報
【特許文献３】
特開平１０−８８５０号公報
【特許文献４】
特開平１０−２２７１８３号公報
【特許文献５】
特許第２９８３５３０号公報
【０００５】
【発明が解決しようとする課題】
このように、従来のシール装置及び扉止め装置は、別々に構成されているため、扉に両方の装置を取り付けることは、コストがかかり、取り付けが極めて面倒であるという問題点があった。また、扉止め装置は、扉の下部側面にネジにより取り付けられるため、扉にネジ穴があき、扉を傷付けると共に、露出しているため接触して壊れやすく、また扉の外観を損なうという問題点があった。
【０００６】
本願発明は、上記問題点に鑑み案出したものであって、シール装置及び扉止め装置を一体化してコストの低廉化を図り、一つの取り付け作業ですむので取り付けが容易であり、扉の下部に形成された嵌合溝に嵌合するので、露出せず、扉の外観を損なわない扉止め装置付きシール装置を提供することを目的とする。
【０００７】
【課題を解決するための手段】
請求項１に係る扉止め装置付きシール装置は、上記目的を達成するため、下記の手段を有する。
（イ）扉の下部に形成された、扉の幅方向に延びる嵌合溝に嵌合する枠体を有すること。
（ロ）枠体内には帯状の弾性体が設けられ、帯状の弾性体にはシール取付部が設けられていること。
（ハ）帯状の弾性体は、一端が枠体の一側に取り付けられ、他端が作動部材に取り付けられていること。
（ニ）作動部材は、枠体の長手方向に移動自在に設けられ、扉が開いている時、扉の回動中心側端面から先端が突出し、シール取付部に取り付けられたシール部材が床面から離れた状態にあり、扉が閉じている時、先端が扉枠に当接して押圧され、帯状の弾性体を下方に変形させ、シール取付部に取り付けられたシール部材を床面に接触させるようになっていること。
（ホ）枠体の一側には、扉の自由端側端面に取り付けられる扉止め装置が設けられていること。
（へ）扉止め装置には、床面に回動自在に設けられた金属製ストッパー板を磁力により引き上げる磁石部材が設けられていること。
【０００８】
請求項２に係る扉止め装置付きシール装置は、上記目的を達成するため、上記扉止め装置には、磁石部材の磁力により引き上げられた金属製ストッパー板の係止凹部に係止可能な係止軸と、係止軸を非係止位置から係止位置に移動させる操作手段が設けられている。
【０００９】
請求項３に係る扉止め装置付きシール装置は、上記目的を達成するため、上記扉止め装置には、磁石部材の磁力により引き上げられた金属製ストッパー板が当接する当接壁と、金属製ストッパー板を係止する係止突起が設けられている。
【００１０】
【発明の実施の形態】
本願発明の実施の形態を図１乃至図１３に基づいて説明する。図１は、本願発明に係る扉止め装置付きシール装置の一つの実施の形態を示す正面断面図である。図２は、図１を一方から視た分解斜視図である。図３は、図１を他方から視た分解斜視図である。図４は、シール装置の分解斜視図である。図５は、シール装置の説明図であり、（ａ）は正面図、（ｂ）は（ａ）の左方から視た側面図、（ｃ）は（ａ）のＡ−Ａ断面図、（ｄ）は（ａ）のＢ−Ｂ断面図、（ｅ）は（ａ）のＣ−Ｃ断面図、（ｆ）は（ａ）のＤ−Ｄ断面図、（ｇ）は（ａ）のＥ−Ｅ断面図、（ｈ）は（ａ）のＦ−Ｆ断面図である。図６は、シール装置の説明図であり、（ａ）は枠体とシール部材を外した上面図、（ｂ）は枠体とシール部材を外した正面図、（ｃ）は枠体とシール部材を取り付けた正面図である。
【００１１】
図７は、扉止め装置の分解斜視図である。図８は、扉止め装置の組立図であり、（ａ）は一方から視た斜視図、（ｂ）は他方から視た斜視図である。図９は、扉止め装置の説明図であり、（ａ）は外ケースと側壁を外した背面図、（ｂ）は外ケースを外した背面図、（ｃ）は全体正面図、（ｄ）は全体側面図、（ｅ）は全体背面図である。図１０は、扉止め装置の説明図であり、（ａ）は図９（ｃ）のＡ−Ａ断面図、（ｂ）は図９（ｃ）のＢ−Ｂ断面図、（ｃ）は図９（ｃ）のＣ−Ｃ断面図である。図１１は、扉止め装置の説明図であり、（ａ）の上面図、（ｂ）は側面図、（ｃ）は正面断面図である。図１２は、シール装置と扉止め装置の取り付け方を示す説明図である。図１３は、扉止め装置の動きを説明する説明図である。
【００１２】
扉止め装置付きシール装置Ａは、扉Ｂの下部Ｂ１に形成された、扉Ｂの幅方向に延びる嵌合溝Ｂ２に嵌合する枠体２を有する。枠体２内には帯状の弾性体１３が設けられ、帯状の弾性体１３にはシール取付部１６が設けられている。帯状の弾性体１３は、一端が枠体２の一側に取り付けられ、他端が作動部材２０に取り付けられている。
【００１３】
作動部材２０は、枠体２の長手方向に移動自在に設けられ、扉Ｂが開いている時、扉Ｂの回動中心側端面Ｂ６から先端３０が突出し、シール取付部１６に取り付けられたシール部材４０が床面から離れた状態にあり、扉Ｂが閉じている時、先端３０が扉枠に当接して押圧され、帯状の弾性体１３を下方に変形させ、シール取付部１６に取り付けられたシール部材４０を床面に接触させるようになっている。
【００１４】
枠体２の一側８には、扉Ｂの自由端側端面Ｂ７に取り付けられる扉止め装置６０が設けられている。扉止め装置６０には、床面に回動自在に設けられた金属製ストッパー板１０１を磁力により引き上げる磁石部材７１が設けられている。
【００１５】
扉止め装置６０には、磁石部材７１の磁力により引き上げられた金属製ストッパー板１０１の係止凹部１０５に係止可能な係止軸８５と、係止軸８５を非係止位置から係止位置に移動させる操作手段７５が設けられている。扉止め装置６０には、磁石部材７１の磁力により引き上げられた金属製ストッパー板１０１が当接する当接壁７２と、金属製ストッパー板１０１を係止する係止突起７３が設けられている。
【００１６】
さらに扉止め装置付きシール装置Ａを、図１乃至図６に基づいて詳細に説明する。扉止め装置付きシール装置Ａは、シール装置１と扉止め装置６０とからなる。シール装置１は、帯状の枠体２を有する。枠体２は、金属板によって断面略コ字状に形成され、上板３と、上板３の両側に形成された側板５，６とからなり、両端７，８及び下端９が開放されている。
【００１７】
枠体２内には、支軸１１・・によって側板５，６間に固定部材１２，１２が取り付けられている。固定部材１２は、帯状の弾性体１３の一端に固定されている。弾性体１３の他端には取付部材１５が取り付けられている。弾性体１３は、合成樹脂、金属板等の弾性を備えた素材によって形成され、下方に向かって湾曲しており、シール取付部として、略中間部に係止軸１６が設けられている。
【００１８】
この固定部材１２，１２上には、上板３と略平行に摺動する板状の作動部材２０が設けられている。作動部材２０は、前記取付部材１５にネジ２１・・によって取り付けられている。作動部材２０は、長手方向の一端に折曲部２２が形成されている。折曲部２２には、軸通し孔２３が形成されている。
【００１９】
枠体２の長手方向の一端部７には、取付板２５が取り付けられている。取付板２５には、前記折曲部２２の軸通し孔２３と略同じ軸心となる摺動孔２９が形成されている。摺動孔２９は、筒状のガイド部２６に形成されている。ガイド部２６は、取付板２５の内側から一部２７が突出している。又、取付板２５は、摺動孔２９の上部に透孔２８が形成されている。
【００２０】
摺動孔２９には、押圧軸３０が摺動自在に設けられる。押圧軸３０は、他端にネジ軸３１が形成されている。押圧軸３０は、ネジ軸３１が前記作動部材２０の軸通し孔２３に通され、ナット３２がネジ軸３１に螺着されて、作動部材２０に一体に取り付けられている。
【００２１】
枠体２の一端部７近傍には、支軸３３・・によって側板５，６間に受け部材３５が取り付けられている。受け部材３５には、コイルバネ状の弾性部材３７の一端を巻装する取付軸３６が設けられている。弾性部材３７は、他端が前記押圧軸３０のネジ軸３１に巻装され、作動部材２０及び押圧軸３０を枠体２の一端部７方向に付勢している。
【００２２】
前記弾性体１３の係止軸１６には、シール部材４０が設けられている。シール部材４０は、合成樹脂等によって略Ｈ字状に形成され、第１のシール板４１と、第２のシール板４２と、  第１のシール板４１と第２のシール板４２を連結する連結板４３と、第１のシール板４１の上部に形成された突縁４５と連結板４３に形成された第１の係止溝４６と、第２のシール板４２の上部に形成された突縁４７と連結板４３に形成された第２の係止溝４８とからなる。第１のシール板４１の下部４９は、第２のシール板４２より長く形成されている
【００２３】
前記弾性体１３，１３は、係止軸１６，１６がシール部材４０の第１の係止溝４６と第２の係止溝４８に係止され、シール部材４０を着脱自在に取り付けている。弾性体１３，１３は、前記弾性部材３７によって伸びる方向に引っ張られ、シール部材４０は、枠体２内に収納されている。
【００２４】
枠体２の長手方向の他端部８には、扉止め装置６０が取り付けられる。扉止め装置６０について、図７乃至図１１に基づいて説明する。扉止め装置６０は、ケース６１を有する。ケース６１は、内ケース６２と、内ケース６２の開放された側面を塞ぐ側壁６３と、内ケース６２と側壁６３を覆う外ケース６５なからなり、ネジ６６によって一体的に組み立てられている。
【００２５】
ケース６１は、下部に磁石収納室６７が形成され、磁石収納室６７の上部に弾性部材収納室６９が形成され、磁石収納室６７と弾性部材収納室６９に隣接して摺動室７０が形成されている。磁石収納室６７には、磁石部材７１が収納されている。磁石部材７１は、底壁（当接壁）７２に載った形で磁石収納室６７に収納されている。底壁（当接壁）７２の一側には、外ケース６５の下端に形成された係止突起７３が設けられている。外ケース６５の取付方向を変えることにより、底壁（当接壁）７２の他側に、係止突起７３が設けられる。
【００２６】
摺動室７０内には、操作手段７５と係止軸８５が設けられている。操作手段７５は、矩形ガイド軸７６と、ガイド軸７６の一方の側面７７に連結板７９を介して連結された操作片８０とからなり、操作片８０はケース６１の一方の側壁８１に形成された開口８２から突出している。ケース６１の他方の側壁８３には、係止突起７８が突設形成されている。さらに他方の側壁８３には、前記第１のシール板４１の下部４９を挿通する略コ字状溝８３ａが設けられている。また、内ケース６２の上部には、ネジ通し穴１００が形成されている。
【００２７】
ガイド軸７６の内側には、矩形状の係止軸８５を軸方向に摺動自在に収納する収納凹部８４が形成されている。係止軸８５は、下端に係止ピン８６が一体に形成されている。係止軸８５の側面には、突起８７が形成されている。ガイド軸７６は、収納凹部８４に軸方向に沿って伸びる縦長状の凹部８９が形成されている。係止軸８５は、突起８７が凹部８９に摺動自在に係合して、ガイド軸７６に連結されている。
【００２８】
収納凹部８４の上部９１には、バネ受け穴９２が形成され、このバネ受け穴９２にバネ９３の一端が取り付けられている。バネ９３の他端は、係止軸８５の上端に形成されたバネ受け穴９４に取り付けられている。このようにして、係止軸８５は、突起８７の凹部８９の摺動範囲内で、ガイド軸７６に対して移動でき、バネ９３によって係止方向（下方）に付勢されている。係止軸８５の係止ピン８６は、底壁７２に形成された挿通孔９５によって出没自在に案内される。
【００２９】
ガイド軸７６は、弾性部材収納室６９内に突出するアーム部材９６が形成されている。アーム部材９６は、略Ｕ字状に形成された弾性部材９７の一端９８に回動自在に連結されている。弾性部材９７の他端９９は、内ケース６２に回動自在に取り付けられている。このように、ガイド軸７６は、弾性部材９７によって、上方に付勢されている。
【００３０】
扉止め装置６０の磁石部材７１によって引き上げられる金属ストッパー板１０１は、床面にネジ等によって固定される円盤状の基台１０２に形成された矩形状凹部１０３内に回動自在に取り付けられている。金属製ストッパー板１０１に形成された係止凹部１０５は、開口によって構成されている。
【００３１】
扉止め装置付きシール装置Ａは、扉Ｂに取り付けられる。扉Ｂは、下部Ｂ１に、幅方向に延びる断面略コ字状の嵌合溝Ｂ２が形成されている。嵌合溝Ｂ２は、下部及び両端が開放されている。扉Ｂの回動中心側端面Ｂ６には、嵌合溝Ｂ２と連通し、前記取付板２５を嵌合する嵌合凹部Ｂ３が形成されている。扉Ｂの自由側端面Ｂ７には、嵌合溝Ｂ２と連通し、前記扉止め装置６０を嵌合する嵌合凹部Ｂ４が形成されている。
【００３２】
扉止め装置付きシール装置Ａは、扉Ｂに取り付ける場合、嵌合溝Ｂ２に枠体２を嵌合する。取付板２５に形成されたガイド部２６の摺動孔２９に押圧軸３０を挿通させながら、ガイド部２６の一部２７を枠体２の上板３の内側に係止させるようにして、取付板２５を嵌合凹部Ｂ３に嵌合し、透孔２８にネジ２４を通して扉Ｂの回動中心側端面Ｂ６にねじ込む。次に、扉止め装置６０をこれの係止突起７８を枠体２の上板３の内側に係止させるようにして嵌合凹部Ｂ４に嵌合し、ネジ通し穴１００に長ネジ１０６を通して扉Ｂの自由端側端面Ｂ７にねじ込む。このように、扉止め装置付きシール装置Ａは、枠体２が取付板２５と扉止め装置６０によって両側が係止され、扉Ｂに取り付けられる。
【００３３】
扉止め装置６０は、通常は係止軸８５が、図１０（ａ），図１１（ｃ）に示すように、非係止位置、即ちケース６１内に収納されている。操作片８０を弾性部材９７の弾性に抗して押し下げると、図１３（ｄ）に示すように、ガイド軸７６が下方に移動し、バネ９３を介して係止軸８５の係止ピン８６を押し出す。弾性部材９７が回動してガイド軸７６を係止軸８５の係止方向に付勢する。
【００３４】
また、操作片８０を押し上げると、ガイド軸７６が上方に移動し、ガイド軸７６の凹部８９の下端が突起８７に係合して係止軸８５を反係止方向に移動させる。弾性部材９７が回動してガイド軸７６を係止軸８５の反係止方向即ち上方に付勢する。このように、扉止め装置６０は、操作片８０の操作により、係止軸８５を係止位置、非係止位置に切り替えることができる。
【００３５】
係止軸８５は、ガイド軸７６に対して摺動し、さらにバネ９３によって係止方向に付勢されているので、係止軸８５が係止位置にあるとき、この係止軸８５に強い力が加わった場合、係止軸８５がバネ９３に抗して反係止方向に摺動することができ、係止軸８５及びケース６１の壊れを防止することができる。
【００３６】
扉Ｂを開いた時の扉止め装置６０の下部の床面の所定位置に、図１３に示すように、基台１０２をネジ１０７等によって固定しておく。扉Ｂを開く方向（図１３のＸ方向）に回動すると、金属製ストッパー板１０１がケース６１内の磁石部材７１の磁力によって先端が引き上げられるように回動し、金属製ストッパー板１０１の先端がケース６１の底壁７２に当接して係止突起７３に係止され、扉Ｂの開閉を規制する（図１０参照）。
【００３７】
前記したように、操作片８０を操作すると係止ピン８６が係止位置に突出し、図１３（ｄ）に示すように、この係止ピン８６が金属製ストッパー板１０１の係止凹部１０５に係止される。そのため、扉Ｂは、開いた状態で金属製ストッパー板１０１に止められる。
【００３８】
再度、操作片８０を操作すると係止ピン８６が非係止位置に戻り、図１３（ｃ）に示すように、この係止ピン８６が金属製ストッパー板１０１の係止凹部１０５から外れるので、扉Ｂを閉じる方向（図１３のＹ方向）に回動することができる。扉Ｂを閉じると、扉枠に前記押圧軸３０が当接し、弾性部材３７の弾性に抗して、押圧軸３０が押圧される。作動部材２０が自由端側端面Ｂ７側に摺動し、弾性体１３がその素材の弾性に抗して下方に撓むことになり、シール部材４０が床面に接触する。そのため扉Ｂの下部Ｂ１と床面の間の隙間がシール部材４０によって塞がれる。
【００３９】
第１のシール板４１の下部４９は、扉止め装置６０の溝８３ａ内に挿入されており、上記シール部材４０の下方への移動により、溝８３ａの下部から突出して床面に接触するため、扉止め装置６０の下部も塞がれる。扉Ｂを開くと、扉枠から押圧軸３０が離れるため、弾性部材３７の弾性により作動部材２０が回動中心側端面Ｂ６側に摺動し、弾性体１３が引っ張られて係止軸１６が上方に移動し、シール部材４０が床面から離れる。
【００４０】
扉止め装置６０は、磁石部材７１がケース６１内に収納され、磁石部材７１が剥き出しになっていないので、見た目を良くすることができ、ケース６１内に塵や埃が入ることを防止することができる。また、金属製ストッパー板１０１が、ケース６１の底壁７２に接触し、磁石部材７１に直接的に接触することがないので、直接接触の衝撃により発生する金属音、磁石部材７１の破損、金属製ストッパー板１０１の損傷、金属製ストッパー板１０１が磁石部材７１に摺接することによる金属製ストッパー板１０１及び磁石部材７１の摩耗、傷による錆の発生等を防止することができ、長期間使用することができる。
【００４１】
扉止め装置付きシール装置Ａは、図１２（ａ）に示すように、枠体２の上板３の内側に扉止め装置６０の係止突起７８を係止させて、シール装置１に扉止め装置６０を取り付けたが、図１２（ｂ）に示すように、枠体２を扉Ｂにネジ１０８によって固定しても構わない。また、図１２（ｃ）に示すように、扉止め装置６０のケース６１内に枠体２の一端２ａを差し込んで、シール装置１に扉止め装置６０を取り付けても構わない。
【００４２】
上記した扉止め装置６０は、外ケース６５を内ケース６２に対して向きを変えて取り付けることができ、向きを変えて取り付けた場合、金属製ストッパー板１０１を係止する係止突起７３の位置が反対側となるので、左右どちらの扉にも対応させることができる。また、シール部材４０は、第１のシール板４１の一方の下部４９が、第２のシール板４２より長くなるように形成されているが、同様に第１のシール板４１の他方の下部を、第２のシール板４２より長くなるように形成すれば、第１のシール板４１の両側に突出する下部が形成されることになり、左右どちらの扉にも対応させることができる。
【００４３】
【発明の効果】
以上説明してきたように、本願発明に係る扉止め装置付きシール装置は、シール装置及び扉止め装置を一体化してコストの低廉化を図り、一つの取り付け作業ですむので取り付けが容易であり、扉の下部に形成された嵌合溝に嵌合するので、露出せず、扉の外観を損なわないという効果がある。
【図面の簡単な説明】
【図１】本願発明に係る扉止め装置付きシール装置の一つの実施の形態を示す正面断面図である。
【図２】図１を一方から視た分解斜視図である。
【図３】図１を他方から視た分解斜視図である。
【図４】シール装置の分解斜視図である。
【図５】シール装置の説明図である。
【図６】シール装置の説明図である。
【図７】扉止め装置の分解斜視図である。
【図８】扉止め装置の組立図である。
【図９】扉止め装置の説明図である。
【図１０】扉止め装置の説明図である。
【図１１】扉止め装置の説明図である。
【図１２】シール装置と扉止め装置の取り付け方を示す説明図である。
【図１３】扉止め装置の動きを説明する説明図である。
【符号の説明】
Ａ  扉止め装置付きシール装置
Ｂ  扉
Ｂ１  下部
Ｂ２  嵌合溝
Ｂ３  嵌合凹部
Ｂ４  嵌合凹部
Ｂ６  回動中心側端面
Ｂ７  自由端側端面
１  シール装置
２  枠体
２ａ  一端
３  上板
５  側板
６  側板
７  端部
８  端部（一側）
９  下端
１１  支軸
１２  固定部材
１３  弾性体
１５  取付部材
１６  係止軸（シール取付部）
２０  作動部材
２１  ネジ
２２  折曲部
２３  軸通し孔
２４  ネジ
２５  取付板
２６  ガイド部
２７  一部
２８  透孔
２９  摺動孔
３０  押圧軸（先端）
３１  ネジ軸
３２  ナット
３３  支軸
３５  受け部材
３６  取付軸
３７  弾性部材
４０  シール部材
４１  第１のシール板
４２  第２のシール板
４３  連結板
４５  突縁
４６  第１の係止溝
４７  突縁
４８  第２の係止溝
４９  下部
６０  扉止め装置
６１  ケース
６２  内ケース
６３  側壁
６５  外ケース
６６  ネジ
６７  磁石収納室
６９  弾性部材収納室
７０  摺動室
７１  磁石部材
７２  底壁（当接壁）
７３  係止突起
７５  操作手段
７６  ガイド軸
７７  側面
７８  係止突起
７９  連結板
８０  操作片
８１  側壁
８２  開口
８３  側壁
８３ａ  溝
８４  収納凹部
８５  係止軸
８６  係止ピン
８７  突起
８９  凹部
９１  上部
９２  バネ受け穴
９３  バネ
９４  バネ受け穴
９５  挿通孔
９６  アーム部材
９７  弾性部材
９８  一端
９９  他端
１００  ネジ通し穴
１０１  金属ストッパー板
１０２  基台
１０３  矩形状凹部
１０５  係止凹部
１０６  長ネジ
１０７  ネジ
１０８  ネジ
【図１】
2005016110.tif 000003
【図２】
2005016110.tif 000004
【図３】
2005016110.tif 000005
【図４】
2005016110.tif 000006
【図５】
2005016110.tif 000007
【図６】
2005016110.tif 000008
【図７】
2005016110.tif 000009
【図８】
2005016110.tif 000010
【図９】
2005016110.tif 000011
【図１０】
2005016110.tif 000012
【図１１】
2005016110.tif 000013
【図１２】
2005016110.tif 000014
【図１３】
2005016110.tif 000015